(57)【要約】【課題】杭体を容易に打設できる杭体の打設方法等を提供する。【解決手段】鋼管矢板１００は、水域において閉領域を形成する。鋼管矢板１００の打設時は、まず鋼管矢板１００の内外に当たる位置に導杭１を打設し、導杭１の間に導枠受け２を設け、導枠受け２の上で鋼管矢板１００の内外に当たる位置に導枠３を設ける。そして、導枠受け２の側方で内外の導枠３の間に鋼管矢板１００を打設し、導枠受け２の内外の導枠３の間の部分を撤去する。そして、導枠３を導杭１側にのみ支持させた状態で、鋼管矢板１００の側方に別の鋼管矢板１００を打設する。【選択図】図３
2020079497.tif 000002
【特許請求の範囲】
【請求項１】
平面において閉領域を形成する杭体の打設方法であって、
杭体の内外に当たる位置に導杭を打設し、内外の前記導杭の間に導枠受けを設け、前記導枠受けの上で杭体の内外に当たる位置に導枠を設ける工程（ａ）と、
前記導枠受けの側方で内外の前記導枠の間に杭体を打設する工程（ｂ）と、
前記導枠受けの、内外の前記導枠の間の部分を撤去する工程（ｃ）と、
前記導枠を前記導杭と前記杭体のうち前記導杭側にのみ支持させた状態で、前記杭体の側方で内外の前記導枠の間に別の杭体を打設する工程（ｄ）と、
を有することを特徴とする杭体の打設方法。
【請求項２】
前記工程（ａ）において、前記導枠受けと内外の前記導杭とをそれぞれ繋ぐ斜材を設置し、
前記工程（ｃ）において、前記導枠受けの両斜材の間の部分を撤去し、
前記工程（ｄ）において、前記導枠は前記導杭、前記斜材、および前記導枠受けの残りの部分により支持されることを特徴とする請求項１記載の杭体の打設方法。
【請求項３】
予め工場で製作した環状の前記導枠を前記工程（ａ）において架設することを特徴とする請求項１または請求項２記載の杭体の打設方法。
【請求項４】
前記工程（ｄ）の後、前記導枠を前記導杭と前記杭体のうち前記導杭側にのみ支持させた状態で、杭体の上方に新たな杭体を継ぎ足して打設する工程（ｅ）を更に有することを特徴とする請求項１から請求項３のいずれかに記載の杭体の打設方法。
【請求項５】
前記杭体は、水域に設けられる鋼管矢板であることを特徴とする請求項１から請求項４のいずれかに記載の杭体の打設方法。
【発明の詳細な説明】
【技術分野】
【０００１】
本発明は、杭体の打設方法等に関する。
【背景技術】
【０００２】
水域で構造物を構築する際、杭状の鋼管矢板により閉領域を形成し水域を締め切って内部工事を行うことがある。鋼管矢板の打設は導枠を用いて行われるが、導枠は鋼管矢板の施工精度、品質に大きく関わるため、仮設物ではあるが非常に重要な役割を担っている。
【０００３】
鋼管矢板の打設時は、図７（ａ）に示すように鋼管矢板の内外（図の左右に対応する）に当たる位置で導杭１０１を打設した後、内外の導杭１０１の間に導枠受け１０２を架設する。そして、導枠受け１０２の上の鋼管矢板の内外に当たる位置に導枠１０３を設置する。
【０００４】
導枠１０３の設置後、図７（ｂ）に示すように導枠受け１０２の側方で内外の導枠１０３の間に鋼管矢板１００（１００−１）を打設する。そして、図７（ｃ）に示すように鋼管矢板１００−１にブラケット１０４を取付け、ブラケット１０４によって導枠１０３を鋼管矢板１００−１側に支持させたうえで、鋼管矢板１００−１の側方の導枠受け１０２等を撤去する。
【０００５】
その後、図７（ｄ）に示すように先程打設した鋼管矢板１００−１の側方で内外の導枠１０３の間に別の鋼管矢板１００（１００−２）を打設する。この鋼管矢板１００−２にもブラケット１０４を取付け、ブラケット１０４によって導枠１０３を鋼管矢板１００−２側に支持させる。なお隣り合う鋼管矢板１００同士は継手１００ａにより接続される。
【０００６】
そして、図８（ａ）に示すように先程打設した鋼管矢板１００−１のブラケット１０４を撤去し、その鋼管矢板１００−１の上に図８（ｂ）に示すように新たな鋼管矢板１００（１００−１）を溶接等により継ぎ足して打設する。図８（ｂ）の１０２は上下の鋼管矢板１００の接続部である。
【０００７】
上記の打設を終えた状態が図８（ｃ）であり、継ぎ足した新たな鋼管矢板１００−１にも改めてブラケット１０４を取付け、ブラケット１０４により導枠１０３を当該鋼管矢板１００−１側に支持させる。以下、その側方の別の鋼管矢板１００−２についても同様に、当該別の鋼管矢板１００−２の上に新たな鋼管矢板を継ぎ足して打設する。
【先行技術文献】
【特許文献】
【０００８】
【特許文献１】特開2015-187330号公報
【発明の概要】
【発明が解決しようとする課題】
【０００９】
しかしながら、上記の手順ではブラケット１０４の取付作業や盛替作業が必要であり、鋼管矢板１００の打設に手間がかかる。
【００１０】
本発明は上記の問題に鑑みてなされたものであり、杭体を容易に打設できる杭体の打設方法等を提供することを目的とする。
【課題を解決するための手段】
【００１１】
前述した課題を解決するための本発明は、平面において閉領域を形成する杭体の打設方法であって、杭体の内外に当たる位置に導杭を打設し、内外の前記導杭の間に導枠受けを設け、前記導枠受けの上で杭体の内外に当たる位置に導枠を設ける工程（ａ）と、前記導枠受けの側方で内外の前記導枠の間に杭体を打設する工程（ｂ）と、前記導枠受けの、内外の前記導枠の間の部分を撤去する工程（ｃ）と、前記導枠を前記導杭と前記杭体のうち前記導杭側にのみ支持させた状態で、前記杭体の側方で内外の前記導枠の間に別の杭体を打設する工程（ｄ）と、を有することを特徴とする杭体の打設方法である。
【００１２】
本発明の杭体の打設方法では、図７、８の例と同様、杭体の側方の導枠受けを別の杭体を打設する際に撤去するが、導枠については杭体側でなく導杭側で支持させる。従って、杭体に導枠支持用のブラケットを取付けたり、杭体の打設作業の進行に伴ってブラケットを盛り替えたりする必要が無く、施工が簡略化され杭体を容易に打設できる。
【００１３】
前記工程（ａ）において、前記導枠受けと内外の前記導杭とをそれぞれ繋ぐ斜材を設置し、前記工程（ｃ）において、前記導枠受けの両斜材の間の部分を撤去し、前記工程（ｄ）において、前記導枠は前記導杭、前記斜材、および前記導枠受けの残りの部分により支持されることが望ましい。
本発明では、導杭、斜材および導枠受けの残りの部分によるトラス状の支持機構によって導枠が支持され、導枠受けを撤去した後もそのまま導枠を精度良く保持できる剛性の高い構造となっている。
【００１４】
予め工場で製作した環状の前記導枠を前記工程（ａ）において架設することも望ましい。
これにより、工期を短縮できる。
【００１５】
前記工程（ｄ）の後、前記導枠を前記導杭と前記杭体のうち前記導杭側にのみ支持させた状態で、杭体の上方に新たな杭体を継ぎ足して打設する工程（ｅ）を更に有することが望ましい。
本発明では、杭体の上に新たな杭体を継ぎ足して打設する際にも、ブラケットの盛り替え等が不要になり、施工が簡略化される。
【００１６】
前記杭体は、例えば水域に設けられる鋼管矢板である。
本発明は、比較的難しい工事となりやすい水域での鋼管矢板の打設作業に適用することで特に大きな効果が得られる。
【発明の効果】
【００１７】
本発明により、杭体を容易に打設できる杭体の打設方法等を提供することができる。
【図面の簡単な説明】
【００１８】
【図１】鋼管矢板１００を示す図。
【図２】鋼管矢板１００の打設方法について説明する図。
【図３】鋼管矢板１００の打設方法について説明する図。
【図４】鋼管矢板１００の打設方法について説明する図。
【図５】導杭１、導枠受け２、頬杖４による支持機構１０を示す図。
【図６】導枠３を示す図。
【図７】鋼管矢板１００の打設方法の例。
【図８】鋼管矢板１００の打設方法の例。
【発明を実施するための形態】
【００１９】
以下、図面に基づいて本発明の好適な実施形態について詳細に説明する。
【００２０】
（１．鋼管矢板１００）
図１（ａ）は本発明の実施形態に係る打設方法で打設された鋼管矢板１００を示す図である。鋼管矢板１００は水底の地盤に打設される杭体であり、本実施形態では複数本（図の例では２本）の鋼管矢板１００を上下に継ぎ足して打設する。ただし、鋼管矢板１００を上下に継ぎ足さず、１本の鋼管矢板１００で済む場合もある。
【００２１】
鋼管矢板１００は平面において閉領域を形成する。図１（ｂ）は図１（ａ）を上から見た図である。本実施形態では閉領域が円環状であり、閉領域を形成するために複数の鋼管矢板１００が円環状に並べて設けられる。
【００２２】
図１に示すように鋼管矢板１００により海等の水域を締切った後、その内部を排水して工事を行うことにより構造物が構築される。下部の鋼管矢板１００は構造物の基礎として用いられることもある。
【００２３】
（２．鋼管矢板１００の打設方法）
次に、図２〜４等を参照して鋼管矢板１００の打設方法について説明する。
【００２４】
本実施形態では、まず図２（ａ）に示すように鋼管矢板１００の内外（図の左右に対応する）に当たる位置で水底の地盤に導杭１を打設し、水上にて内外の導杭１の間に導枠受け２を架設する。
【００２５】
そして、導枠受け２と内外の導杭１とをそれぞれ繋ぐ斜め方向の頬杖４（斜材）を設置し、導枠受け２の上の鋼管矢板１００の内外に当たる位置に導枠３を設け、各導枠３を導枠受け２に固定する。
【００２６】
図５（ａ）は導杭１、導枠受け２、頬杖４による導枠３の支持機構１０を示す図であり、図２（ａ）を導枠３の長手方向（図２（ａ）の矢印ａ参照）から見たものである。
【００２７】
図５（ａ）に示すように、本実施形態では内外の導枠３が導枠受け２と各頬杖４の接続部の上方に設けられ、内外の導枠３は内外の導杭１からそれぞれ間隔を空けて配置される。なお、導枠３と導杭１の間では作業用の足場板（不図示）が導枠受け２の上に設置される。足場板は予め導枠３に一体化され、導枠３とともに設置される。
【００２８】
図６は導枠３を示す図である。本実施形態では図６（ａ）に示すように予め工場で製作した円環状の導枠３を現場まで水上運搬し、図６（ｂ）に示すように導枠３に治具９を取付け、クレーン等で治具９を吊下げて導枠３を一括架設する。これにより、現場での組立作業をゼロとし工期を短縮できる。また本実施形態では導枠３に用いる鋼材（H形鋼）を断面係数の高いものとし、導枠３全体に高い剛性を付与している。
【００２９】
鋼管矢板１００の打設方法の説明に戻る。本実施形態では、導枠３の設置後、図２（ｂ）に示すように導枠受け２の側方で内外の導枠３の間に鋼管矢板１００（１００−１）を打設する。
【００３０】
その後、図３（ａ）に示すように、鋼管矢板１００−１の側方の導枠受け２について、内外の導枠３の間の中間部分を撤去する。ここでは、導枠受け２の両頬杖４の間の部分Ａ（図５（ａ）参照）を切断して取り除く。
【００３１】
図５（ｂ）は、この時の支持機構１０を図５（ａ）と同様に示す図である。図５（ｂ）に示すように、本実施形態では導杭１、頬杖４、および導枠受け２の残りの部分によるトラス状の支持機構１０によって導枠３が導杭１側に支持され、鋼管矢板１００−１の側方の導枠受け２の中間部分を撤去した後も、そのまま導枠３を精度良く保持できる剛性の高い構造になっている。
【００３２】
そのため、図７、８の例のように鋼管矢板１００にブラケット１０４を取付けるなどして導枠３を鋼管矢板１００側で支持する必要は無く、本実施形態では導枠３が導杭１側にのみ支持された状態となる。
【００３３】
鋼管矢板１００の打設方法の説明に戻る。本実施形態では、導枠受け２の撤去後、図３（ｂ）に示すように先程打設した鋼管矢板１００−１の側方で内外の導枠３の間に別の鋼管矢板１００（１００−２）を打設する。
【００３４】
さらに、本実施形態では図４（ａ）に示すように先程打設した鋼管矢板１００−１の上に新たな鋼管矢板１００（１００−１）を溶接等により継ぎ足して打設する。図４（ａ）の１０２は上下の鋼管矢板１００−１の接続部であり、図４（ｂ）は打設を終えた状態である。この際も、図５（ｂ）で説明したように、導枠３は導杭１側にのみ支持された状態である。
【００３５】
鋼管矢板１００−１の側方の別の鋼管矢板１００−２についても同様に、当該別の鋼管矢板１００−２の上に新たな鋼管矢板を継ぎ足して打設する。
【００３６】
本実施形態では導杭１、導枠受け２および頬杖４による導枠３の支持機構１０（図５参照）が導枠３の周方向の複数箇所で設けられ、各箇所において上記の工程を実施することで複数の鋼管矢板１００が内外の導枠３に沿って円環状に並べられ、その内部領域が水域から締め切られる。隣り合う鋼管矢板１００同士は継手１００ａにより接続される。
【００３７】
以上説明したように、本実施形態の鋼管矢板１００の打設方法では、図７、８の例と同様、鋼管矢板１００の側方の導枠受け２を別の鋼管矢板１００を打設する際に撤去するが、導枠３については鋼管矢板１００側でなく導杭１側で支持させる。従って、鋼管矢板１００に導枠支持用のブラケット１０４を取付けたり、鋼管矢板１００の打設作業の進行に伴ってブラケット１０４を盛り替えたりする必要が無く、施工が簡略化され鋼管矢板１００を容易に打設できる。
【００３８】
特に本実施形態では、導枠受け２の撤去後、導杭１、頬杖４、および導枠受け２の残りの部分によるトラス状の支持機構１０が形成される。導枠３はこの支持機構１０により支持され、鋼管矢板１００の側方の導枠受け２を撤去した後も、そのまま導枠３を精度良く保持できる剛性の高い構造となっている。
【００３９】
また、本実施形態では予め工場で製作した円環状の導枠３を架設することにより、工期を短縮できる。
【００４０】
また本実施形態では、導枠３を導杭１側に保持させたまま、鋼管矢板１００の上に新たな鋼管矢板１００を継ぎ足して打設する。本実施形態では図７、８の例のようなブラケット１０４の盛り替え等は不要であり、施工が簡略化される。
【００４１】
しかしながら本発明は上記の実施形態に限らない。例えば本発明は、上記の実施形態のように水域で鋼管矢板１００を打設するケースだけでなく、陸上で鋼管矢板１００を打設するようなケースでも適用可能であり、また鋼管矢板１００の代わりにその他の杭体を用いるケースであっても適用可能である。ただし、本発明は比較的難しい工事となりやすい水域での鋼管矢板１００の打設作業に適用することで特に大きな効果が得られる。
【００４２】
また本実施形態では複数の鋼管矢板１００を円環状に並べて閉領域を形成しており、導枠３もこれに沿って円環状となっているが、閉領域の形状は特に限定されず、例えば鋼管矢板１００を矩形状に並べる場合もある。導枠３の平面形状も鋼管矢板１００による閉領域の形状に応じたものであれば良く、特に限定されない。例えば鋼管矢板１００を矩形状に並べる場合、導枠３を矩形環状のものとする。
【００４３】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００４４】
１、１０１：導杭
２、１０２：導枠受け
３、１０３：導枠
４：頬杖
９：治具
１０：支持機構
１００、１００−１、１００−２：鋼管矢板
１００ａ：継手
１０４：ブラケット
【図１】
2020079497.tif 000003
【図２】
2020079497.tif 000004
【図３】
2020079497.tif 000005
【図４】
2020079497.tif 000006
【図５】
2020079497.tif 000007
【図６】
2020079497.tif 000008
【図７】
2020079497.tif 000009
【図８】
2020079497.tif 000010